(57)【特許請求の範囲】
【請求項１】
第１の入力手段と、
第２の入力手段と、
ロック遷移イベントの発生によって装置をロック状態に置き、装置がそのロック状態に置かれている際、前記第１の入力手段から入力された暗証情報と、記憶された暗証情報とが等しい場合、そのロック状態を解除するロック制御手段と、
装置がそのロック状態に置かれている際、前記第１の入力手段からの入力があると、前記ロック制御手段にロック状態を解除する動作をさせ、前記第２の入力手段からの入力があると、装置の前記ロック制御手段以外の一部又は全部の機能を動作させるセキュリティ制御手段と
を有することを特徴とする情報処理装置。
【請求項２】
開閉自在の複数の筐体からなり、
前記筐体の内面に設置された第１の入力手段と、
前記筐体の外面に設置された第２の入力手段と、
前記複数の筐体が閉じられると装置をロック状態に置き、装置がそのロック状態に置かれている際、前記複数の筐体が開かれ、前記第１の入力手段から入力された暗証情報と、記憶された暗証情報とが等しい場合、そのロック状態を解除するロック制御手段と、
前記複数の筐体が閉じられている際、前記第２の入力手段からの入力があると、装置の前記ロック制御手段以外の一部又は全部の機能を動作させるセキュリティ制御手段と
を有することを特徴とする情報処理装置。
【請求項３】
電話帳を管理する電話帳処理手段を更に有し、
前記全部の機能とは、前記電話帳処理手段が電話帳に含まれる文字を表示する機能であり、
前記一部の機能とは、前記電話帳処理手段が電話帳に含まれる文字の一部を表示する機能である
ことを特徴とする請求項１又は請求項２に記載の情報処理装置。
【請求項４】
電話帳を管理する電話帳処理手段を更に有し、
前記全部の機能とは、前記電話帳処理手段が電話帳に含まれる文字を表示する機能であり、
前記一部の機能とは、前記電話帳処理手段が電話帳に含まれる文字の一部に代えて伏せ字を表示する機能である
ことを特徴とする請求項１又は請求項２に記載の情報処理装置。
【発明の詳細な説明】
【技術分野】
【０００１】
本発明は、情報処理装置に係り、特に、セキュリティを保つ処理に関する。
【背景技術】
【０００２】
情報処理装置のセキュリティを保つ処理の重要性が増している。即ち、装置の使用者以外の者によって、装置に記憶された情報の閲覧ができないようにすること、また、装置の使用者以外の者によって、装置を動作させることができず、更には、装置の動作状況が視認されないようにすることが求められている。特に、装置が通信機能を備える場合、その通信機能は、その装置の使用者以外の者によって使用されることができないようにすることが求められている。なぜなら、通信機能の使用によって、費用が発生し、その装置の使用者に請求されることがあるからである。
【０００３】
そこで、情報処理装置は、セキュリティロックがかかった状態と、そのロックが解除された状態とのいずれかの状態に置かれ、そのロックがかかった状態では、例えば、使用者の入力部を介した操作指示を、原則として入力しないことが知られている。なお、例外として、通信機能を有する装置で、着呼操作指示や、警察や消防署への発呼操作指示は入力する。
【０００４】
ロックがかかった状態への遷移は、使用者の所定の入力によって、装置の電源の投入によって、使用者の入力操作が所定の時間に渡って行われないことによって、また、装置が開閉自在である場合、装置が閉状態にされることによって行われる。一方、ロックが解除された状態への遷移は、例えば、所定の暗証情報の入力によって行われる。暗証情報の入力は、例えば、４文字の数字列である暗証番号の入力や、数字に限らない文字列であるパスワードの入力によって行われる。更には、使用者の生体情報、例えば、指紋を用いた認証によって行われる。
【０００５】
ロックがかかった状態で装置を使用するためには、ロックを解除する操作が必要であり、電話機能を備えた装置で電話をかける際など、急いで装置を使用したい際にはその操作は煩わしい。そこで、装置に動作させる機能に応じてセキュリティレベルを設定し、高いセキュリティレベルの機能を動作させるには複雑な操作によってロックを解除し、低いセキュリティレベルの機能を動作させるには簡単な操作によってロックを解除することが知られている（例えば、特許文献１参照。）。
【０００６】
また、装置が開閉自在であり、開状態にある場合に視認可能な内面表示部と、開閉状態に係わらず視認可能な外面表示部とを有する場合、装置を閉状態におくことによって内面表示部への表示を使用者以外の者から視認不可能にすることができるが、外面表示部への表示を視認不可能にすることはできない。そこで、外面表示部への表示は、使用者以外の者の視認によって支障が生じない特定の情報とすることが知られている（例えば、特許文献２参照。）。
【先行技術文献】
【特許文献】
【０００７】
【特許文献１】特開２００６−２１５７３０号公報（第２頁、図２、図３）
【特許文献２】特開２００４−４０４５２号公報（第２−３頁、図１０、図１１）
【発明の概要】
【発明が解決しようとする課題】
【０００８】
しかしながら、上述した特許文献に開示されている方法では、セキュリティを保つことによって、使用者の利便性が損なわれる問題点があった。即ち、特許文献１に開示されている方法では、ロックを解除することなく機能を動作させることが考慮されていない問題点があった。また、特許文献２に開示されている方法では、装置が閉状態にある際、使用者が希望する機能を動作させることができない問題点があった。
【０００９】
本発明は、上記問題点を解決するためになされたもので、セキュリティを保ち、かつ、使用者の利便性が損なわれない処理を提供することを目的とする。
【課題を解決するための手段】
【００１０】
上記目的を達成するために、本発明の情報処理装置は、第１の入力手段と、第２の入力手段と、ロック遷移イベントの発生によって装置をロック状態に置き、装置がそのロック状態に置かれている際、前記第１の入力手段から入力された暗証情報と、記憶された暗証情報とが等しい場合、そのロック状態を解除するロック制御手段と、装置がそのロック状態に置かれている際、前記第１の入力手段からの入力があると、前記ロック制御手段にロック状態を解除する動作をさせ、前記第２の入力手段からの入力があると、装置の前記ロック制御手段以外の一部又は全部の機能を動作させるセキュリティ制御手段とを有することを特徴とする。
【発明の効果】
【００１１】
本発明によれば、セキュリティを保ち、かつ、使用者の利便性が損なわれない処理を提供することができる。
【図面の簡単な説明】
【００１２】
【図１】本発明の第１の実施形態に係る移動通信装置の上下筐体を開いた時の外観図。
【図２】本発明の第１の実施形態に係る移動通信装置の上下筐体を閉じた時の外観図。
【図３】本発明の第１の実施形態に係る移動通信装置の構成を示すブロック図。
【図４】本発明の第１の実施形態に係るセキュリティ制御機能の制御動作のフローチャート（セキュリティ制御動作を行わない場合。）。
【図５】本発明の第１の実施形態に係るセキュリティ制御機能の制御動作のフローチャート（セキュリティ制御動作を行う場合。）。
【図６】本発明の第１の実施形態に係る電話帳の構成の一例を示す図。
【図７】本発明の第１の実施形態に係る電話帳処理部の全機能動作による第１のタッチパネルへの表示の一例を示す図。
【図８】本発明の第１の実施形態に係る電話帳処理部の限定機能動作による第２のタッチパネルへの表示の第１の例を示す図。
【図９】本発明の第１の実施形態に係る電話帳処理部の限定機能動作による第２のタッチパネルへの表示の第２の例を示す図。
【図１０】本発明の第１の実施形態に係る電話帳処理部の限定機能動作による第２のタッチパネルへの表示の第３の例を示す図。
【図１１】本発明の第２の実施形態に係る移動通信装置の左右筐体を開いた時の外観図。
【図１２】本発明の第２の実施形態に係る移動通信装置の左右筐体を閉じた時の外観図。
【図１３】本発明の第２の実施形態に係る移動通信装置の構成を示すブロック図。
【図１４】本発明の第３の実施形態に係る閉状態表示設定の構成の一例を示す図。
【図１５】本発明の第３の実施形態に係るセキュリティ制御機能の制御動作のフローチャート。
【図１６】本発明の第３の実施形態に係るメニュー画面の一例を示す図。
【発明を実施するための形態】
【００１３】
以下に、本発明による情報処理装置が適用された移動通信装置の実施の形態を、図面を参照して説明する。
【００１４】
（第１の実施形態）
図１は、本発明の第１の実施形態に係る開閉自在の折畳み型移動通信装置の、上下筐体の折畳みを開いた時の外観を示し、図１（ａ）は正面図、図１（ｂ）は側面図である。この移動通信装置は、上筐体１と下筐体２とが、ヒンジ部３によって軸Ａ−Ａを中心に回動自在に連結されてなることによって、上下筐体１、２の角度が略０度（閉状態）から略１８０度（開状態）の間で開閉自在に構成されている。
【００１５】
上筐体１の内面には、受話に用いられるスピーカ１４ａと、第１のタッチパネル１５ａとが設置されている。ここで、タッチパネルは、ディスプレイと、その前面に貼られたタッチパッドとからなる。ディスプレイは、ＬＣＤ（Liquid Crystal Display）、有機ＥＬディスプレイ（Organic Electroluminescence Display）等、任意の表示装置であり、タッチパッドは、指及び／又はスタイラスペン（以後、指及び／又はスタイラスペンを指等と称する。）が接触された位置を検出する、感圧式、静電容量式等、任意の方式のセンサーである。また、接触は、所定の距離以内へ近づいたことを含む。第１のタッチパネル１５ａには、使用者に操作を促す表示や、使用者が操作した内容の表示がされ、また、それを介して装置の使用者による入力が行なわれる。
【００１６】
下筐体２の内面には、送話に用いられるマイクロフォン１４ｂと、入力素子であるキーパッドからなる第１の入力部１６ａとが設けられている。また、下筐体２の内部には、電波の送受に用いられるアンテナ（図示せず）が設置されている。なお、第１の入力部１６ａには、電話番号を含む数字の入力などに用いられるダイヤルキーと、移動通信装置の電源の投入及び切断などの動作指示などを入力するために用いられる機能キーとが設けられている。
【００１７】
上筐体１の上部の内部（ヒンジ部３から遠い部分。）に磁石４が埋め込まれ、下筐体２の下部の内部（ヒンジ部３から遠い部分。）に磁界検出素子５が埋め込まれている。磁界検出素子５は、例えば、ホール素子であって、上下筐体１、２が閉状態にある場合、磁石４と、磁界検出素子５との間の距離が近いように配置してある。磁界検出素子５は、磁石４に起因する磁界を検出することによって、上下筐体１、２が閉状態にあることを検出する。
【００１８】
なお、磁界検出素子５によれば、上下筐体１、２が閉状態にあることを検出するが、１つの磁界検出素子と、２つの磁石とをヒンジ部３に埋め込み、上下筐体１、２が閉状態にあるか、閉状態にあるかによって、いずれかの磁石と磁界検出素子との間の距離が近いように配置することによって、上下筐体１、２が閉状態にあることと、閉状態にあることとを検出するようにしても良い。
【００１９】
上筐体１の外面には、後で詳述するように、第２のタッチパネル１５ｂと、第２の入力部１６ｂとが設けられている。これらは、上下筐体１、２が開状態にあっても視認及び入力が可能であるが、その状態では、装置の使用者は、第１のタッチパネル１５ａと、第１の入力部１６ａとを用いることが想定される。
【００２０】
図２は、この移動通信装置の上筐体１をヒンジ部３によって回動させ、下筐体２に近づけて折畳みを閉じた時の外観を示し、図２（ａ）は正面図、図２（ｂ）は側面図である。折畳みが閉じられた状態では、第１のタッチパネル１５ａと、第１の入力部１６ａとは、折畳みの内側にあるため、使用者は、第１のタッチパネル１５ａに行われた表示を視認することができず、指等を接触させることができない。また、第１の入力部１６ａのキーを操作することができない。
【００２１】
しかし、閉状態では、装置の使用者は、第２のタッチパネル１５ｂと、第２の入力部１６ｂとを用いることができる。ここで、必須ではないものの、第２のタッチパネル１５ｂは、第１のタッチパネル１５ａより小さく、また、第２の入力部１６ｂを構成するキーの数は、第１の入力部１６ａを構成するキーの数より少ない。そして、閉状態では、開状態にある場合と比較して、装置の使用者は、主に、簡単な操作によって、簡単な表示が得られる機能を使用することが想定される。
【００２２】
以後、第１のタッチパネル１５ａへの指等の接触及び第１の入力部１６ａからのキー操作を、使用者の第１の入力操作と総称し、第２のタッチパネル１５ｂへの指等の接触及び第２の入力部１６ｂからのキー操作を、使用者の第２の入力操作と総称する。更に、使用者の第１の入力操作及び使用者の第２の入力操作を、使用者の入力操作と総称する。
【００２３】
図３は、本発明の第１の実施形態に係る移動通信装置の構成を示すブロック図である。この移動通信装置は、装置全体の制御を行う制御部１１と、移動通信網通信部１２と、移動通信網の基地局（図示せず）との間で電波の送受信を行うアンテナ１２ａと、移動通信網送受信部１３と、通話部１４と、受話に用いられるスピーカ１４ａと、送話に用いられるマイクロフォン１４ｂと、第１のタッチパネル１５ａと、第２のタッチパネル１５ｂと、第１の入力部１６ａと、第２の入力部１６ｂと、開閉検出部１７と、電話帳処理部２１と、電子メール送受信部２２と、ブラウザ部２３と、写真閲覧部２４と、記憶部２５とからなる。
【００２４】
これらの中で、電話帳処理部２１と、電子メール送受信部２２と、ブラウザ部２３と、写真閲覧部２４とは、使用者との対話によって動作するアプリケーション処理部である。なお、プログラムを実行することで実現される本発明に関する機能として、制御部１１には、設定機能１１−１と、セキュリティ制御機能１１−２とが含まれる。また、記憶部２５は、フォルダとファイルとの階層構造によって情報を記憶する。そして、記憶部２５には、電子メール送受信部２２によって受信された、ブラウザ部２３によって受信された、又は、写真撮影部（図示せず）によって撮影された写真画像がファイルとして記憶される。
【００２５】
上記のように構成された、本発明の第１の実施形態に係る情報処理装置の各部の動作を、図３を参照して説明する。
【００２６】
制御部１１は、少なくとも装置に電源が投入され、動作を開始した際、開閉検出部１７に上下筐体１、２が開状態にあるか、又は、閉状態にあるかを検出させ、得られた検出結果を制御部１１内に記憶する。また、開閉検出部１７からの割込みを契機として、上下筐体１、２が開状態から閉状態になったこと、及び、閉状態から開状態になったことの通知を受信して、受信された検出結果を制御部１１内に記憶する。
【００２７】
上記の処理により、制御部１１は、上下筐体１、２が開状態にあるか、又は、閉状態にあるかを常に記憶し、記憶された状態に依存して、また、検出結果が開状態から閉状態になったこと、及び、閉状態から開状態になったことに依存して、所定の制御を行う。その制御の１つは、開状態にある場合、制御部１１は、第２のタッチパネル１５ｂに表示をさせず、かつ、使用者の第２の入力操作の通知を受信しない。また、閉状態にある場合、第１のタッチパネル１５ａに表示をさせず、かつ、使用者の第１の入力操作の通知を受信しない。
【００２８】
設定機能１１−１は、使用者の第２の入力操作がされた場合にセキュリティ制御動作を行う旨、セキュリティ制御動作を行わない旨、又は、第１の入力操作がされた場合と同じ動作を行う旨を、第１の入力操作に基づいて制御部１１内に記憶する。なお、セキュリティ制御動作は、セキュリティ制御機能１１−２が行う動作であって、後述する。ここで、設定機能１１−１は、ロック解除の状態にある場合、使用者の入力操作に基づいて動作するが、装置がロック状態にある場合、動作しない。
【００２９】
セキュリティ制御機能１１−２は、所定のロック遷移イベントの発生があると、装置がロック状態にある旨を制御部１１内に記憶する。ここで、ロック遷移イベントは、装置が閉状態に遷移したこと、装置の電源が投入されたこと、ロック遷移を指示する使用者の入力操作がされたこと、等のいずれかである。
【００３０】
そして、装置がロック状態にあり、使用者の第１の入力操作に基づいて装置の各部を動作させる場合、セキュリティ制御機能１１−２は、使用者の第１の入力操作によって暗証情報を入力し、その暗証番号が制御部１１内に記憶された暗証情報と等しい場合、装置がロック解除の状態にある旨を制御部１１内に記憶する。そして、使用者の第１の入力操作に基づいて、装置の上記各部の全機能を動作させる。
【００３１】
また、セキュリティ制御機能１１−２は、使用者の第２の入力操作に基づいて装置の各部を動作させる場合、セキュリティ制御動作を行う旨が設定機能１１−１によって制御部１１内に記憶されていれば、装置の上記各部の限定された機能を動作させる。一方、セキュリティ制御動作を行わない旨が記憶されていれば、装置の上記各部の全機能を動作させる。なお、全機能の動作と、限定された機能の動作との差は、各処理部に依存する。限定機能動作においては全く動作しない処理部もある。また、全機能動作と、限定機能動作との差がない処理部もある。
【００３２】
なお、第１の入力操作がされた場合と同じ動作を行う旨が記憶されていれば、セキュリティ制御機能１１−２は、使用者の第２の入力操作によって暗証情報を入力し、その暗証番号が制御部１１内に記憶された暗証情報と等しい場合、装置がロック解除の状態にある旨を制御部１１内に記憶する。そして、使用者の第２の入力操作に基づいて、装置の上記各部の全機能、又は、限定された機能を動作させる。
【００３３】
移動通信網通信部１２は、基地局から送信され、アンテナ１２ａが受信した高周波信号を移動通信網送受信部１３へ送信し、また、移動通信網送受信部１３から送信される高周波信号を、アンテナ１２ａを介して基地局に送信する。
【００３４】
移動通信網送受信部１３は、移動通信網通信部１２からの高周波信号を増幅、周波数変換及び復調し、それによって得られたデジタル音声信号を通話部１４へ、制御信号を制御部１１へ、電子メール信号を電子メール送受信部２２へ、Ｗｅｂページに係る信号をブラウザ部２３へ送る。更には、通話部１４から送信されるデジタル音声信号、制御部１１から送信される制御信号、電子メール送受信部２２から送信される電子メール信号、及び、ブラウザ部２３から送信されるＷｅｂページに係る信号を変調、周波数変換及び増幅し、高周波信号を得て、それを移動通信網通信部１２に送る。
【００３５】
通話部１４は、移動通信網送受信部１３から送信されるデジタル音声信号をアナログ音声信号に変換し、それを増幅してスピーカ１４ａに送る。また、マイクロフォン１４ｂから送信されるアナログ音声信号を増幅し、それをデジタル音声信号に変換して移動通信網送受信部１３に送信する。なお、限定機能動作において、通話部１４は、全機能を動作させる。
【００３６】
第１のタッチパネル１５ａは、使用者に操作を促す表示や、使用者が操作した内容の表示や、装置の動作状態の表示等に用いられ、制御部１１に制御されることで、文字、数字、更に、アイコンを含む画像データを表示し、表示されるデータは、第１のタッチパネル１５ａにソフトキーが表示された位置への指等の接触や、第１の入力部１６ａからのキー操作や着信信号に応答して制御部１１からの指示を受けることで切換わる。なお、第１のタッチパネル１５ａは、指等が接触されると、接触された位置を識別する情報を制御部１１へ通知する。
【００３７】
第２のタッチパネル１５ｂは、使用者に操作を促す表示や、使用者が操作した内容の表示や、装置の動作状態の表示等に用いられ、制御部１１に制御されることで、文字、数字、更に、アイコンを含む画像データを表示し、表示されるデータは、第２のタッチパネル１５ｂにソフトキーが表示された位置への指等の接触や、第２の入力部１６ｂからのキー操作や着信信号に応答して制御部１１からの指示を受けることで切換わる。なお、第２のタッチパネル１５ｂは、指等が接触されると、接触された位置を識別する情報を制御部１１へ通知する。
【００３８】
第１の入力部１６ａは、通信相手の電話番号等を指定し、また、トグル式の入力方式によってひらがな文字、アルファベット文字及び記号文字を入力するための数字キーと、カーソル移動や、表示のスクロール指示を示す矢印キーや、決定キー、着呼キー、終話キー、電源投入及び切断キーを含む複数の機能キーとを含む。そして、第１の入力部１６ａのキーが押下されると、そのキーの識別子を制御部１１に通知する。
【００３９】
第２の入力部１６ｂは、電源投入及び切断キーを含む複数の機能キーからなる。そして、第２の入力部１６ｂのキーが押下されると、そのキーの識別子を制御部１１に通知する。
【００４０】
開閉検出部１７は、磁界検出素子５が磁界を検出しているか否かによって、上下筐体１、２が開状態にあるか、閉状態にあるかを検出する。そして、上下筐体１、２が開状態にあるか、閉状態にあるかの検出要求を受信して、いずれかの状態であるかを通知する。また、所定の時間間隔で磁界検出素子５が磁界を検出しているか否かを調べ、その結果の変化によって、上下筐体１、２が開状態から閉状態になった、及び、閉状態から開状態になったと検出された場合、割込みを介して検出結果を制御部１１へ通知する。
【００４１】
電話帳処理部２１は、使用者の入力操作に基づいて動作を開始し、記憶部２５に記憶された電話帳を新規記憶、更新記憶、検索、及び、検索する。電話帳は、氏名、電話番号、電子メールアドレス等が関連付けられた情報である。なお、限定機能動作において、電話帳処理部２１は、電話帳の検索動作のみを行い、かつ、検索された情報の一部を表示しない。
【００４２】
電子メール送受信部２２は、電子メールの送受信を行う。即ち、使用者の入力操作に基づいて、電子メールアドレスと、電子メール件名と、電子メール本文とからなる電子メールを入力する。そして、その電子メールを、移動通信網送受信部１３を介してメールサーバ装置（図示せず）に対して送信する。また、メールサーバ装置から送信された電子メールを移動通信網送受信部１３を介して受信して、記憶部２５に記憶させる。
【００４３】
更に、使用者の入力操作に基づいて、電子メール送受信部２２は、記憶部２５に記憶された電子メールの一覧を第１のタッチパネル１５ａ又は第２のタッチパネル１５ｂに表示させ、更に、使用者の入力操作によってその一覧から選択された電子メールを第１のタッチパネル１５ａ又は第２のタッチパネル１５ｂに表示させる。また、電子メール送受信部２２は、その表示させた電子メールを記憶部２５から削除する。
【００４４】
なお、限定機能動作において、電子メール送受信部２２は、電子メールの送信動作を行わず、受信動作を行う。また、電子メールの一覧の表示、及び、電子メールの表示の際、一部の情報を表示しない。
【００４５】
ブラウザ部２３は、使用者の入力操作によって指定されたウェブページアドレスによって識別されるウェブサーバ装置（図示せず）に移動通信網送受信部１３を介してアクセスし、その装置に記憶されたインターネットコンテンツ信号の静止画像及び動画像、並びに、文字を移動通信網送受信部１３を介して受信して、第１のタッチパネル１５ａ又は第２のタッチパネル１５ｂに表示させ、音声をスピーカ１４ａ又は第２のスピーカ（図示せず）から発生させる。なお、限定機能動作において、ブラウザ部２３は、全く動作しない。
【００４６】
写真閲覧部２４は、使用者の入力操作によって指定された、記憶部２５にファイルとして記憶された写真情報を読み出して、第１のタッチパネル１５ａ又は第２のタッチパネル１５ｂに表示させる。ここで、読み出しの際、使用者の入力操作に従って、フォルダ及びファイルからなる記憶部２５の階層をたどる。なお、限定機能動作において、写真閲覧部２４は、一部の写真を表示させない。
【００４７】
次に、装置の各処理部が使用者の入力操作によって動作を開始する際の、セキュリティ制御機能１１−２の制御動作を説明する。この制御動作は、使用者の第２の入力操作がされた場合、セキュリティ制御動作を行う旨が記憶されているか、行わない旨が記憶されているか、又は、第１の入力操作がされた場合と同じ動作を行う旨が記憶されているか、及び、上記使用者の入力操作が第１の入力操作であるか、第２の入力操作であるかに基づいて行われ、この制御によって、上記各処理部の動作が変化する。なお、第１の入力操作がされた場合と同じ動作を行う旨が記憶されている際の動作は、既に説明したので繰り返さない。
【００４８】
図４に示すフローチャートを参照して、使用者の第２の入力操作がされた際、セキュリティ制御動作を行わない旨が記憶されている場合の、セキュリティ制御機能１１−２の制御動作を説明する。セキュリティ制御機能１１−２は、装置の電源投入によって動作を開始し（ステップＳ１０１）、制御部１１の待受画面表示機能（図示せず）によって待受画面が表示されることを待ち（ステップＳ１０２）、使用者の入力操作を判断する（ステップＳ１０３）。なお、動作開始の際、装置はロック状態にある。
【００４９】
入力操作が第１の入力操作である場合、セキュリティ制御機能１１−２は、暗証情報の入力を促す画面を第１のタッチパネル１５ａに表示させ（ステップＳ１０４）、入力された暗証情報が制御部１１内に記憶された暗証情報と一致するか否かを判断する（ステップＳ１０５）。一致した場合、装置をロック解除の状態に置き（ステップＳ１０６）、装置の各部の全機能を、第１の入力操作に基づいて動作させる（ステップＳ１０７）。この動作中、装置は、ロック解除の状態に置かれる。一方、一致しない場合、セキュリティ制御機能１１−２は、ステップＳ１０４の暗証情報の入力を促す表示をさせるステップに戻る。
【００５０】
ステップＳ１０３で、入力操作が第２の入力操作である場合、セキュリティ制御機能１１−２は、装置の各部の全機能を、第２の入力操作に基づいて動作させる（ステップＳ１０７）。この動作中、装置は、ロック状態に置かれる。
【００５１】
なお、ステップＳ１０７で装置の各部の全機能の動作をさせている際、例えば、開状態にあった上下筐体１、２が閉じられた場合、装置は、ロック状態に遷移するが、セキュリティ制御機能１１−２は、使用者の第２の入力操作に基づいて、開状態にあった際に動作していた処理部の限定機能の動作をさせる（図示せず）。一方、例えば、閉状態にあった上下筐体１、２が開けられた場合、装置は、ステップＳ１０４の暗証情報の入力を促す画面の表示動作以降の動作をさせる（図示せず）。なお、その後、ステップＳ１０７で、装置の各部の全機能を、第１の入力操作に基づいて動作させるが、この際、閉状態にあった際に動作していた処理部を引き続き動作をさせても良く、新たに任意の動作をさせても良い。
【００５２】
図５に示すフローチャートを参照して、使用者の第２の入力操作がされた際、セキュリティ制御動作を行う旨が記憶されている場合の、セキュリティ制御機能１１−２の制御動作を説明する。この制御動作は、図４に示すフローチャートを参照して説明したセキュリティ制御動作を行わない旨が記憶されている場合の制御動作と類似している。そこで、同じ動作ステップには同じ符号を付して説明を省略する。
【００５３】
ステップＳ１０３で、入力操作が第２の入力操作である場合、セキュリティ制御機能１１−２は、装置の各部の限定機能を、第２の入力操作に基づいて動作させる（ステップＳ１１１）。この動作中、装置は、ロック状態に置かれる。
【００５４】
なお、ステップＳ１０７で装置の各部の全機能の動作をさせている際、開状態にあった上下筐体１、２が閉じられた場合、装置は、ロック状態に遷移し、セキュリティ制御機能１１−２は、使用者の第２の入力操作に基づいて、開状態にあった際に動作していた処理部の限定機能の動作をさせる（図示せず）。言い換えると、ステップＳ１１１に移る。
【００５５】
一方、ステップＳ１１１で装置の各部の限定機能をさせている際、閉状態にあった上下筐体１、２が開けられた場合、装置は、ステップＳ１０４の暗証情報の入力を促す画面の表示動作以降の動作をさせる（図示せず）。なお、その後、ステップＳ１０７で、装置の各部の全機能を、第１の入力操作に基づいて動作させるが、この際、閉状態にあった際に動作していた処理部を引き続き動作をさせても良く、新たに任意の動作をさせても良い。
【００５６】
全機能及び限定機能動作の一例として、電話帳処理部２１の全機能動作及び限定機能動作を説明する前に、記憶部２５に記憶される電話帳の詳細を説明する。図６は、電話帳の構成の一例を示す。この電話帳は、氏名２５ａと、別名２５ｂと、電話番号２５ｃと、電子メールアドレス２５ｄと、住所２５ｅとが関連付けられた情報である。
【００５７】
氏名２５ａは、個人等を識別する文字列である。別名２５ｂは、氏名２５ａで識別される個人等に付された任意の文字列である。電話番号２５ｃは、氏名２５ａで識別される個人等が使用する移動通信装置を含む電話の電話番号である。電子メールアドレス２５ｄは、氏名２５ａで識別される個人等が使用する電子メールアドレスである。住所２５ｅは、氏名２５ａで識別される個人等の住所である。ここで、必須な情報は氏名２５ａのみであり、その他の情報は、記憶されなくとも良い。
【００５８】
既に説明したように、電話帳処理部２１の全機能及び限定機能動作の相違は、電話帳の検索動作にある。そこで、その検索動作を説明する。図７は、電話帳処理部２１の全機能動作による第１のタッチパネル１５ａへの表示の一例を示す。電話帳処理部２１は、上下筐体１、２が開状態にあって全機能動作をする際、使用者の第１の入力操作に基づいて、先ず、図７（ａ）に示すように、第１のタッチパネル１５ａの標題欄１５ａ−１に「電話帳」と表示させ、電話帳処理部表示欄１５ａ−２に電話帳データの氏名２５ａの一覧を表示させる。この際、１つの氏名２５ａの表示にカーソルを置き、カーソルが置かれる氏名２５ａは、使用者の第１の入力操作に基づいて変化する。図７（ａ）では、カーソルは「○○一郎」に置かれていることを、ハッチングによって示す。
【００５９】
次に、所定の使用者の第１の入力操作がされると、電話帳処理部２１は、図７（ｂ）に示すように、電話帳処理部表示欄１５ａ−２にカーソルが置かれた氏名２５ａに係る電話帳データを表示させる。即ち、その氏名２５ａに加え、その氏名２５ａと関連付けられて記憶された別名２５ｂ、電話番号２５ｃ、電子メールアドレス２５ｄ、及び住所２５ｅを表示させる。
【００６０】
図８は、電話帳処理部２１の限定機能動作による第２のタッチパネル１５ｂへの表示の第１の例を示す。電話帳処理部２１は、上下筐体１、２が閉状態にあって限定機能動作をする際、先ず、図８（ａ）に示すように、第２のタッチパネル１５ｂの標題欄１５ｂ−１に「電話帳」と表示させ、電話帳処理部表示欄１５ｂ−２に電話帳データの氏名２５ａの一覧を表示させる。この表示に含まれる情報は、図７（ａ）に示した全機能動作の際と同じである。
【００６１】
次に、所定の使用者の第２の入力操作がされると、電話帳処理部２１は、図８（ｂ）に示すように、電話帳処理部表示欄１５ｂ−２にカーソルが置かれた氏名２５ａに係る電話帳データを表示させる。即ち、氏名２５ａを表示させ、更に、その氏名２５ａと関連付けられて記憶された電話番号２５ｃ、電子メールアドレス２５ｄ及び住所２５ｅとを、実データを伏せて、伏せ字で表示させる。ここで、伏せ字の文字数は、実データの文字数と一致させる。これにより、装置の使用者は、例えば、住所２５ｅとして２通りが思い出された際、いずれが正しいかを知ることができる。しかし、伏せ字の文字数を乱数に基づいて決定しても良く、電話帳データの文字数を視認不可能にすることにより、より高いセキュリティが得られる。なお、別名２５ｂは、全く表示させない。
【００６２】
図９は、電話帳処理部２１の限定機能動作による第２のタッチパネル１５ｂへの表示の第２の例を示す。電話帳処理部２１は、上下筐体１、２が閉状態にあって限定機能動作をする際、先ず、図９（ａ）に示すように、第２のタッチパネル１５ｂの電話帳処理部表示欄１５ｂ−２に電話帳データの氏名２５ａの一覧を表示させる。この一覧に含まれる文字の中で、乱数に基づいて選択された、略半数の文字を伏せて、伏せ字で表示させる。
【００６３】
次に、所定の使用者の第２の入力操作がされると、電話帳処理部２１は、図９（ｂ）に示すように、電話帳処理部表示欄１５ｂ−２にカーソルが置かれた氏名２５ａに係る電話帳データを表示させる。即ち、その一部の文字を伏せ字に代えた氏名２５ａを表示させ、その他の表示は、図８（ｂ）に示す第１の例と同じである。
【００６４】
図１０は、電話帳処理部２１の限定機能動作による第２のタッチパネル１５ｂへの表示の第３の例を示す。電話帳処理部２１は、上下筐体１、２が閉状態にあって限定機能動作をする際、先ず、図１０（ａ）に示すように、第２のタッチパネル１５ｂの電話帳処理部表示欄１５ｂ−２に電話帳データの別名２５ｂの一覧を表示させる。この際、別名２５ｂが記憶されていない電話帳については、空行が表示される。また、１つの別名２５ｂの表示にカーソルを置き、カーソルが置かれる別名２５ｂは、使用者の第２の入力操作に基づいて変化する。図１０（ａ）では、カーソルは「いち」に置かれていることを、ハッチングによって示す。
【００６５】
次に、所定の使用者の第２の入力操作がされると、電話帳処理部２１は、図１０（ｂ）に示すように、電話帳処理部表示欄１５ｂ−２にカーソルが置かれた別名２５ｂに係る電話帳データを表示させる。即ち、その別名２５ｂを表示させ、更に、その別名２５ｂと関連付けられて記憶された、氏名２５ａ、電話番号２５ｃ、電子メールアドレス２５ｄ及び住所２５ｅとを、実データを伏せて、伏せ字で表示させる。ここで、伏せ字の文字数については、既に説明した通りである。
【００６６】
図８〜図１０を参照して説明した限定機能動作において、各図（ｂ）で示した電話帳データの表示は、対応する各図（ａ）で示した一覧表示と比較して、詳細な情報が表示されるとは必ずしも言えない。そこで、電話帳データの表示を指示する入力操作を無視し、各図（ｂ）に示す表示は行なわれないとしても良い。
【００６７】
次に、全機能及び限定機能動作の別の一例として、写真閲覧部２４の全機能動作及び限定機能動作を説明する。写真閲覧部２４は、全機能動作においては、記憶部２５にフォルダ及びファイルの階層に従ってファイルとして記憶された写真の全てを、第１、第２のタッチパネル１５ａ、１５ｂに表示させる。フォルダの階層を上下するには、あるフォルダの下にあるフォルダの名称一覧及びそのフォルダの上のフォルダの名称を第１、第２のタッチパネル１５ａ、１５ｂに表示させ、その中の１つを使用者の入力操作に基づいて選択する。そして、あるフォルダの下にあるファイルの名称の一覧を表示させ、その中の１つを使用者の入力操作に基づいて選択し、選択されたファイルとして記憶された写真を表示させる。
【００６８】
写真閲覧部２４は、限定機能動作においては、記憶部２５に記憶されたフォルダ及びファイルの階層の中で、所定のフォルダの名称を第２のタッチパネル１５ｂに表示させない。当然、そのフォルダの下にあるフォルダの名称及びファイルの名称も表示されず、表示されないフォルダ及びファイルを第２の入力操作に基づいて選択することはできない。
【００６９】
以上説明したように、使用者の第１の入力操作に基づいて装置が動作し、その動作の結果を第１のタッチパネル１５ａに表示させるには、装置をロックが解除された状態に置く。そして、装置の各部の全機能が動作する。この動作は、上下筐体１、２が開状態であることが必須である。一方、使用者の第２の入力操作に基づいて装置が動作し、その動作の結果を第２のタッチパネル１５ｂに表示させるには、装置がロック状態に置かれたままで良い。そして、装置の各部の全機能、又は、限定された機能が動作する。この動作は、上下筐体１、２が閉状態であることが想定されている。
【００７０】
上下筐体１、２が閉状態である際、それを開状態にして暗証情報の入力を行うには、時間を要する。そこで、閉状態のまま、たとえ、限定された機能ではあるものの、暗証情報の入力なしで動作することによって、セキュリティを保ち、かつ、使用者の利便性が損なわれない効果が得られる。
【００７１】
なお、以上の説明で、限定された機能の例として、通話部１４は全機能が動作すること、電話帳処理部２１は検索動作のみを行い、かつ、検索された情報の一部を表示しないこと、電子メール送受信部２２は電子メールの受信動作を行い、かつ、電子メールの一部の情報を表示しないこと、ブラウザ部２３は全く動作しないこと、更に、写真閲覧部２４は、一部の写真を表示させないことを述べた。これらは、一例であって、どの処理部がどのような限定された動作を行っても良い。また、限定された機能の動作で、全機能が動作する処理部があっても良い。そして、これらは、使用者の入力操作によって設定されても良い。
【００７２】
ただし、制御部１１の制御機能は、限定された機能としては全く動作しない。暗証情報の入力による使用者認証を経て、ロックが解除された状態でのみ動作することが適切であるからである。
【００７３】
なお、以上の説明で、使用者の第１の入力操作は第１のタッチパネル１５ａへの指等の接触及び第１の入力部１６ａからのキー操作であるとしたが、これに限るものではない。例えば、第１のタッチパネル１５ａはタッチパッドを備えず、ディスプレイである場合、使用者の第１の入力操作は第１の入力部１６ａからのキー操作である。また、第１の入力部１６ａを備えない装置の場合や、第１の入力部１６ａは装置の電源の投入と切断などを指示する限られた数のキーからなる場合、使用者の第１の入力操作は第１のタッチパネル１５ａへの指等の接触である。使用者の第２の入力操作についても、同様である。
【００７４】
（第２の実施形態）
第２の実施形態に係る移動通信装置は、第１の実施形態に係る移動通信装置と類似している。そこで、同じ部分には同じ符号を付して説明を省略する。図１１は、第２の実施形態に係る開閉自在の折畳み型移動通信装置の、左右筐体の折畳みを開いた時の外観を示し、図１１（ａ）は正面図、図１１（ｂ）は上面図である。
【００７５】
この移動通信装置は、左筐体６と右筐体７とが、ヒンジ部８によって軸Ｂ−Ｂを中心に回動自在に連結されてなることによって、左右筐体６、７の角度が略０度（閉状態）から略１８０度（開状態）の間で開閉自在に構成されている。
【００７６】
左筐体６の内面には、第３のタッチパネル１５ｃと、第３の入力部１６ｃとが設置され、右筐体７の内面には、第４のタッチパネル１５ｄと、第４の入力部１６ｄとが設置されている。
【００７７】
図１２は、この移動通信装置の左筐体６をヒンジ部８によって回動させ、右筐体７に近づけて折畳みを閉じた時の外観を示し、図１２（ａ）は正面図、図１２（ｂ）は上面図である。折畳みが閉じられた状態では、第３、第４のタッチパネル１５ｃ、１５ｄと、第３、第４の入力部１６ｃ、１６ｄとは、折畳みの内側にあるため、使用者は、第３、第４のタッチパネル１５ｃ、１５ｄに行われた表示を視認することができず、また、指等を接触させることができない。更には、第３、第４の入力部１６ｃ、１６ｄのキーを操作することができない。
【００７８】
なお、図示を省略したが、左筐体６の内面には、スピーカ１４ａと、マイクロフォン１４ｂとが設置されている。更に、左筐体６の左部の内部（ヒンジ部８から遠い部分。）に磁石４が埋め込まれ、右筐体７の右部の内部（ヒンジ部８から遠い部分。）に磁界検出素子５が埋め込まれ、左右筐体６、７が閉状態にある場合、磁石４と、磁界検出素子５との間の距離が近いように配置してある。
【００７９】
図１３は、第２の実施形態に係る移動通信装置の構成を示すブロック図である。この移動通信装置は、上述した移動通信装置と比較して、第１、第２のタッチパネル１５ａ、１５ｂと、第１、第２の入力部１６ａ、１６ｂとを有さず、第３、第４のタッチパネル１５ｃ、１５ｄと、第３、第４の入力部１６ｃ、１６ｄとを有することが相違している。
【００８０】
この相違に伴い、制御部１１は、第１の実施形態における動作と比較して、以下のような異なる制御動作を行う。まず、左右筐体６、７が閉状態にある場合、第３、第４のタッチパネル１５ｃ、１５ｄに表示をせず、また、第３、第４のタッチパネル１５ｃ、１５ｄ及び第３、第４の入力部１６ｃ、１６ｄからの使用者の入力操作の通知を受信しない。一方、左右筐体６、７が開状態にある場合、第３、第４のタッチパネル１５ｃ、１５ｄの一方、又は、両方に表示をし、一方、又は、両方からの入力操作の通知を受信する。更には、第３、第４の入力部１６ｃ、１６ｄの一方、又は、両方からの入力操作の通知を受信する。
【００８１】
次に、セキュリティ制御機能１１−２は、第３のタッチパネル１５ｃへの指等の接触及び第３の入力部１６ｃからのキー操作を、使用者の第１の入力操作とし、第４のタッチパネル１５ｄへの指等の接触及び第４の入力部１６ｄからのキー操作を、使用者の第２の入力操作とする。又は、第３のタッチパネル１５ｃへの指等の接触及び第３の入力部１６ｃからのキー操作を、使用者の第２の入力操作とし、第４のタッチパネル１５ｄへの指等の接触及び第４の入力部１６ｄからのキー操作を、使用者の第１の入力操作とする。
【００８２】
このように制御することによって、装置がロック状態にある際、使用者の入力操作が左筐体６に設置された入力用のデバイスを介して行われたか、右筐体７に設置された入力用のデバイスを介して行われたかによって、セキュリティ制御機能１１−２は、暗証情報の入力を経て装置をロック解除の状態に遷移させた上で全機能を動作させるか、又は、ロック状態にあるまま、全機能、若しくは、限定された機能を動作させるかの制御を行う。
【００８３】
これは、第２の実施形態に係る移動通信装置は携帯に適した小型の装置であり、使用者は片手で保持し、その手の指によって入力操作をする、即ち、第１の入力操作か、第２の入力操作かのいずれか一方をすることが多い特徴を活かした制御である。即ち、片手で保持し、その手の指によって入力操作をしている際、その手の指の操作によって、たとえ、限定された機能ではあるものの、暗証情報の入力なしで動作することによって、セキュリティを保ち、かつ、使用者の利便性が損なわれない効果が得られる。
【００８４】
（第３の実施形態）
第３の実施形態に係る移動通信装置の外観及び構成は、第１の実施形態に係る移動通信装置の外観及び構成を同じである。そこで、外観及び構成の説明を省略する。
【００８５】
この移動通信装置と、第１の実施形態に係る移動通信装置との相違は、主に開状態にあった上下筐体１、２が閉じられた際の、及び、閉状態にあった上下筐体１、２が開けられた際のセキュリティ制御機能１１−２の制御動作にある。
【００８６】
即ち、概ね、第１のタッチパネル１５ａは、第２のタッチパネル１５ｂより大きいため、上下筐体１、２が開状態にある際には、閉状態にある際よりも複雑な、セキュリティを保ちたい情報が表示されることが多い。そこで、上下筐体１、２が開状態にある際に、使用者以外の者によって第１のタッチパネル１５ａの表示が視認されることは好ましくなく、使用者は、上下筐体１、２を閉じて視認されることを避けることができる。
【００８７】
そこで、上下筐体１、２が閉状態にある際に、第２のタッチパネル１５ｂに何ら装置の動作に係る表示がされないなら、セキュリティは保たれるものの、装置の使用者は、何ら装置を使用することができないので、利便性が損なわれる問題点がある。以下に説明するセキュリティ制御機能１１−２の制御動作によって、この問題点が解決される。
【００８８】
ここで、このセキュリティ制御機能１１−２の制御動作は、使用者の第２の入力操作がされた場合、セキュリティ制御動作を行う旨が記憶されているか、セキュリティ制御動作を行わない旨、又は、第１の入力操作がされた場合と同じ動作を行う旨のいずれが記憶されているかに依存しない。更に、ロック遷移イベントの発生によって、装置がロック状態に遷移されるか否かに依存しない。
【００８９】
第３の実施形態における各部の動作で、第１の実施形態における動作との相違を説明する。
【００９０】
第３の実施形態において、記憶部２５には、閉状態表示設定が記憶される。図１４は、閉状態表示設定の構成の一例を示す。この閉状態表示設定は、処理部２５ｍと、閉状態表示２５ｎとが関連付けられた情報である。処理部２５ｍは、使用者の入力操作に基づいて動作する処理部であって、「電話帳処理部」、「電子メール送受信部」、「ブラウザ部」、及び、「写真閲覧部」のいずれかである。なお、設定機能１１−１や、セキュリティ制御機能１１−２のロック解除の動作も使用者の入力操作に基づいて動作するが、制御部１１の制御機能は、処理部２５ｍには記憶されない。これらの制御機能の動作に係る表示は、使用者の意思に委ねられるべきではないからである。
【００９１】
閉状態表示２５ｎは、上下筐体１、２が閉状態にあり処理部２５ｍによって識別される処理部が動作している際（その際、その処理部の動作の結果は、第１のタッチパネル１５ａに表示される。）、上下筐体１、２が閉じられた場合の、第２のタッチパネル１５ｂの表示内容であって、「同じ」、「選択」、及び、「非表示」のいずれかである。なお、「選択」の場合、併せて、使用者によって選択された内容、例えば、「待受画面」が記憶される。また、「写真閲覧部」と関連付けられた閉状態表示２５ｎには、複数が記憶され、それぞれにフォルダ名及び／又はファイル名が併せて記憶されても良い。
【００９２】
設定機能１１−１は、使用者の入力操作に基づいて動作を開始し、記憶部２５に記憶された閉状態表示設定を第１のタッチパネル１５ａ又は第２のタッチパネル１５ｂに表示させる。そして、使用者の入力操作に基づいていずれかの処理部２５ｍを選択する。更に、「同じ」、「選択」、及び、「非表示」のいずれかを使用者の入力操作に基づいて選択して、その処理部２５ｍに関連付けられた閉状態表示２５ｎに記憶される。なお、「選択」が選択された場合、併せて、使用者によって指定された内容、例えば、「待受画面」を記憶させる。
【００９３】
また、設定機能１１−１は、写真閲覧部２４が動作中に所定の入力操作が行われた場合、「写真閲覧部」なる処理部２５ｍと関連付けられた閉状態表示２５ｎに、入力操作に依存して、「同じ」、「選択」、及び、「非表示」のいずれかを記憶させ、併せて、その際に表示していた写真情報ファイルが属するフォルダ名、又は、そのファイル名を記憶させる。
【００９４】
図１５に示すフローチャートを参照して、開状態にあった上下筐体１、２が閉じられた際のセキュリティ制御機能１１−２の制御動作を説明する。セキュリティ制御機能１１−２は、開状態にあった上下筐体１、２が閉じられた際に制御動作を開始し（ステップＳ２０１）、その際に動作中である処理部と等しい処理部２５ｍと関連付けられた閉状態表示２５ｎを閉状態表示設定から検索する（ステップＳ２０２）。その処理部が写真閲覧部２４である場合、閉状態表示２５ｎには複数の値が記憶されていることがあるので、その場合、その値と併せて記憶されたフォルダ名又はファイル名と、写真閲覧部２４が表示していた写真情報であるファイルが属するフォルダ名又はそのファイル名とが等しい値を検索する。
【００９５】
セキュリティ制御機能１１−２は、検索された閉状態表示２５ｎを判断し（ステップＳ２０３）、それが「同じ」である場合、第１のタッチパネル１５ａに表示されていた内容を第２のタッチパネル１５ｂに表示させる（ステップＳ２０４）。これは、動作中である処理部を引き続き動作させることを意味する。また、第２のタッチパネル１５ｂの表示画面が第１のタッチパネル１５ａの表示画面より小さい場合、その処理部及び／又は制御部１１は、表示内容を縮小し、また、同時に表示される内容を減らしてスクロールによって全ての内容を表示する。
【００９６】
検索された閉状態表示２５ｎが「選択」である場合、セキュリティ制御機能１１−２は、「選択」に併せて記憶されている内容を第２のタッチパネル１５ｂに表示させる（ステップＳ２０５）。これは、動作中である処理部を一時停止させることを意味する。また、その内容が「待受画面」である場合、使用者の第２の入力操作に基づいて、新たに処理部の動作が開始されることがある。この処理部が上下筐体１、２が開状態にあった際に動作していた処理である場合、新たに動作を開始させても良く、上下筐体１、２が閉じられた際の動作の続きをさせても良い。
【００９７】
検索された閉状態表示２５ｎが「非表示」である場合、セキュリティ制御機能１１−２は、第２のタッチパネル１５ｂにメニューを表示させる（ステップＳ２０６）。図１６は、このメニュー画面の一例を示し、メニュー画面は、「メニュー」と表示された標題欄１５ｂ−１と、メニュー表示欄１５ｂ−３とからなる。メニュー表示欄１５ｂ−３には、装置の一部の処理を識別する情報が表示される。「電話発信」は、通話部１４による通話の発信を、「電話帳処理」は、電話帳処理部２１の動作を示す。
【００９８】
このメニューの表示は、動作中である処理部を一時停止させることを意味する。また、そのメニューに対する使用者の第２の入力操作に基づいて、新たに処理部の動作が開始されることがある。この処理部が上下筐体１、２が開状態にあった際に動作していた処理である場合、セキュリティ制御機能１１−２は、新たに動作を開始させても良く、上下筐体１、２が閉じられた際の動作の続きをさせても良い。
【００９９】
なお、検索された閉状態表示２５ｎが「非表示」である場合、セキュリティ制御機能１１−２は、上記のように第２のタッチパネル１５ｂにメニューを表示させると限るものではなく、何も表示させない、時刻を表示させる、等をしても良い。いずれにしても、上下筐体１、２が開状態にあった際に動作していた処理は、第２のタッチパネル１５ｂの表示によって視認されることはない。
【０１００】
また、動作中である処理部がない場合（これは、待受画面が第１のタッチパネル１５ａに表示されていた場合である。）、セキュリティ制御機能１１−２は、待受画面を第２のタッチパネル１５ｂに表示させる（図示せず）。その後の動作は、ステップＳ２０５の動作説明で述べたことに準じる。
【０１０１】
なお、ステップＳ２０４、Ｓ２０５、Ｓ２０６の動作の後、閉状態にあった上下筐体１、２が開かれた際のセキュリティ制御機能１１−２の制御動作は、以下の通りである（図示せず）。ステップＳ２０４の動作の後、並びに、ステップＳ２０４又はＳ２０６の動作によって新たに処理部の動作が開始されなかった、及び、新たに開始された処理部の動作が終了した場合、セキュリティ制御機能１１−２は、開状態にあった際に、即ち、ステップＳ２０１の直前に動作していた処理部の動作を続けさせる。
【０１０２】
ステップＳ２０４、及び、Ｓ２０６の動作によって新たに処理部の動作が開始されている場合、セキュリティ制御機能１１−２は、その処理部の動作を続けさせる。又は、その処理部の動作を終了させ、開状態にあった際に、即ち、ステップＳ２０１の直前に動作していた処理部の動作を続けさせる。
【０１０３】
（その他の実施形態）
以上の実施形態で、移動通信装置は、筐体の回動によって開閉自在であるとしたが、これに限るものではない。例えば、筐体のスライドによって開閉自在であっても良い。
【０１０４】
以上説明した実施形態は、適宜組み合わせても良い。また、以上の説明は、本発明を移動通信装置に適用した例によって行ったが、本発明は、使用者の入力操作を複数のデバイスによって行うことができ、１つの入力デバイスは、他の入力デバイスより入力が容易な全ての装置に、また、表示を複数のデバイスに行ない、１つの表示デバイスは、使用者以外の者によって他の表示デバイスより視認が容易な全ての装置に適用が可能である。本発明は以上の構成に限定されるものではなく、種々の変形が可能である。
【符号の説明】
【０１０５】
１  上筐体
２  下筐体
３、８  ヒンジ部
４  磁石
５  磁界検出素子
６  左筐体
７  右筐体
１１  制御部
１１−１  設定機能
１１−２  セキュリティ制御機能
１５ａ  第１のタッチパネル
１５ｂ  第２のタッチパネル
１５ｃ  第３のタッチパネル
１５ｄ  第４のタッチパネル
１６ａ  第１の入力部
１６ｂ  第２の入力部
１６ｃ  第３の入力部
１６ｄ  第４の入力部
１７  開閉検出部
２１  電話帳処理部
２２  電子メール送受信部
２３  ブラウザ部
２４  写真閲覧部
２５  記憶部
２５ａ  氏名
２５ｂ  別名
２５ｃ  電話番号
２５ｄ  電子メールアドレス
２５ｅ  住所
２５ｍ  処理部
２５ｎ  閉状態表示
【図１】
0005434552.tif 000002
【図２】
0005434552.tif 000003
【図３】
0005434552.tif 000004
【図４】
0005434552.tif 000005
【図５】
0005434552.tif 000006
【図６】
0005434552.tif 000007
【図７】
0005434552.tif 000008
【図８】
0005434552.tif 000009
【図９】
0005434552.tif 000010
【図１０】
0005434552.tif 000011
【図１１】
0005434552.tif 000012
【図１２】
0005434552.tif 000013
【図１３】
0005434552.tif 000014
【図１４】
0005434552.tif 000015
【図１５】
0005434552.tif 000016
【図１６】
0005434552.tif 000017